(57)【要約】【課題】  連結型塵取りの場合、柄を持ち上げると自動的に本体の開口部が真上向きとなる首振り構造を特徴とするが、この動きをユーザーの意思で制御する方式とする事で、連結型塵取りの利点はそのままに、固定式塵取りのごとく連続したゴミ収集作業が出来るようになる。そこで、本発明はこの機能を最低限のコストにて実現する事にある。【解決手段】  連結型塵取りの本体側面に、柄先のアームを捉えて一時的に固定が利く解除自在の簡易ストッパーを設けるものとした。【選択図】図３
2010253225.tif 000002
【特許請求の範囲】
【請求項１】
平容器型の本体と柄先のアーム部が軸連結され、柄を持ち上げると自動的に本体の開口部が真上に向く連結型の塵取りであって、ゴミ収集作業から前記柄を持ち上げて移動しようとする時、前記開口部が概ねそのままの位置付近に留まるか、若しくは、若干上向く程度の位置にて一時的に固定する解除自在の簡易ストッパーが設けられると共に、前記簡易ストッパーは、前記アーム部を捉えて維持力が働く形態を為している事を特徴とする、連結型塵取りの構造。
【請求項２】
上記簡易ストッパーの部材には横長で板状のバネが用いられ、片端がボルトなどで本体側面に固定されると共に、もう片端側に向かって山なりの突起部を有する構造を為している事を特徴とする、請求項１に記載の連結型塵取りの構造。
【発明の詳細な説明】
【技術分野】
【０００１】  本発明は、平容器型の本体と柄先のアーム部が軸連結され、柄を持ち上げると自動的に本体の開口部が真上向きとなる連結型の塵取りの構造に関する。
【背景技術】
【０００２】  古くから、ゴミを取り込む本体と、その上部に立ち上がる柄とが一体に固定された塵取り（以下一体型塵取りと呼称する）が定番として存在する。これは、若干腰を曲げる程度でゴミ収集作業が継続出来る操作性を利点とするが、取り込んだゴミは丸出しであるから傍目に醜く、こぼれ落ちや埃が舞い易い問題があった。【０００３】  そこで、平容器型の本体と柄先のアーム部が軸連結され、柄を持ち上げると自動的に本体の開口部が真上に向く塵取り（以下連結型塵取りと呼称する）が公知されている。この動作は、重心を本体後部として軸連結した構造により得られ、取り込んだゴミが自然に奥側に収納される便利な機能である。また、この手の多くが蓋付きであり、上記の動きに連動して開閉するため更に密封性が高められる。しかも、平容器構造であるから、コンパクトに縦置き収納され邪魔にならない。このため、特に大勢の人が行きかう施設内や、衛生が求められる場所の掃除業務では定番の塵取りとなっている。【０００４】  しかし、このように優れた連結型塵取りにも欠点がある。第一に、本体の開口部が真上に向く状態では全体の縦寸法が長くなり、腕を大きく曲げて持ち上げるか、持ち替えなければ地面を引きずってしまう事にある。この問題に関しては車輪を設ける案が提示されているが、コストが大きい点や重量が増すため実用的とは言い難い。第二に、次にゴミを取り込むには、再び本体を寝かせるように床置きしなければならないが、一々この動作を強要されるのは明らかに不便で面倒である。このように、連結型塵取りが持つ折角の利便性はマイナス面と相殺されているとも云えるが、未だこの不具合は放置されているのが現状である。
【発明の開示】
【発明が解決しようとする課題】
【０００５】  これまで説明した通り、一体型塵取りと連結型塵取りにはそれぞれに利点と欠点を含むのであるから、両方の利点のみを取り入れた塵取りならば桁違いに使い良いのは確実で、これこそ全ての用途に満足を得る塵取りの革命となるものである。但し、連結型塵取りは既に高価であるから、例え利便性が大きく向上する改良であっても、コストや重量が増すなら価値は低い。よって、如何に簡素で安価な手段で兼用並みの機能を得るかが重要な課題なのである。
【課題を解決するための手段】
【０００６】  本課題を解決するため請求項１に記載の発明によれば、平容器型の本体と柄先のアーム部が軸連結され、柄を持ち上げると自動的に本体の開口部が真上に向く連結型の塵取りであって、ゴミ収集作業から前記柄を持ち上げて移動しようとする時、前記開口部が概ねそのままの位置付近に留まるか、若しくは、若干上向く程度の位置にて一時的に固定する解除自在の簡易ストッパーが設けられると共に、前記簡易ストッパーは、前記アーム部を捉えて維持力が働く形態を為している事を特徴とする、連結型塵取りの構造としたものである。【０００７】  また、請求項２に記載の発明によれば、上記簡易ストッパーの部材には横長で板状のバネが用いられ、片端がボルトなどで本体側面に固定されると共に、もう片端側に向かって山なりの突起部を有する構造を為している事を特徴とする、請求項１に記載の連結型塵取りの構造としたものである。
【発明の効果】
【０００８】  請求項１に記載の発明による効果は、簡易ストッパーの働きにより、柄を持ち上げると開口部が自動的に真上に向いてしまう動きを制御し、一体型塵取りのごとくゴミ収集作業を継続するための適正位置に本体を留める事が出来るようになる。すなわち、ゴミ収集状態から柄を持ち上げようとする時、開口部の向きをそのままの状態、若しくは若干上向きとなる程度の状態を維持するものであるが、これは、簡易ストッパーとして働くバネが柄先のアーム部を捉える事により得られる。そして、この固定と解除では手持ち状態にある柄の操作（前後に若干倒す）によるため、実用として十分満足出来る操作性が得られるのである。【０００９】  請求項２に記載の発明による効果は、簡易ストッパーの部材には簡素で安価なバネを用いており、重要な機能を最低限のコストで実現している事にある。しかも、既存の塵取りに穴加工を加える程度で設置が可能で、新たな設計により本体を一から製作する必要はない。そして、バネは片端が固定され、もう片端側に突起部を持つ構造であるから、全体のしなやかな反発力が生き、滑らかなクリックロックの感触が得られる。また、解除方向の傾斜角度を大きくするだけで強い維持力を利かせる事も容易である。【００１０】  この効果は卓上理論ではなく、実際の使用テストにおいて誰もが実感を得たものであり、目の覚めるような素晴らしい効果である。それは、柄を持ち上げる度に一々開口部が一気に真上まで向かってしまうのは、少しずつの移動で連続してゴミを取り込む事が多い実作業（例えば理美容室など）では迷惑な動きでしかないからである。よって、これがユーザー自身の意思で制御出来るなら作業効率を著しく高めるのは確実なのである。尚、本発明で用いる連結型の塵取りは、開閉蓋の有無に対しては何の関係もない。
【発明を実施するための最良の形態】
【００１１】  柄と、床置きした本体の開口部との関係は概ね直角であり、この位置付近でバネが利く方式と、開口部が若干上向きの位置でバネが利く方式を選ぶ事が出来、どちらの方式を用いても構わない。これは単にバネの位置が異なるものではなく、塵取りの操作性に係るのであるが、この点については以下の実施例にて説明する。そして、この方式の違いは主にバネの突起部の位置により決定されるため、バネの取り付け位置を左右に設けるならば各自の好みで設定出来る。【００１２】  バネが捉えるアーム部は丸棒と平棒タイプがあり、前者は本体との隙間も妥当でバネの突起部にそのまま合致する。よって、バネは本体側面の内側に設け、突起部のみが本体外に突出する形態が好しい。何故なら、突起物は出来るだけ隠されている方が安全だからである。後者も前者と同様とする事は可能であるが、本体との隙間が大きい場合にはバネを本体側面の外側に設けても良い。但し、平棒のアーム部にはバネが捉えるための引っ掛かりがないため、何れにしても爪を設ける必要がある。【００１３】  バネの素材にはステンレス材が適するが、樹脂の成型板材を代用として用いる事も可能である。また、バネの利きは片方向が基本であるが、両方向へ利く構造でも構わない。これまでの説明は、簡易ストッパーとして働くバネの基本的構造や、その働きを示しており、求める効果が同じであれば部材や構造において相違があっても構わない。
【実施例１】
【００１４】  ここでは、アーム部４が丸棒の場合の説明を行う。図１はバネ１の斜視図であり、図２はバネを設置した全体構造を示す拡大説明図である。図の通り、バネは本体側面３ａの内側にボルト固定され、突起部２のみが外部側に突出する。従って、塵取り本体３には固定ボルト用の穴と突起部用の穴が設けられる。【００１５】  先ず、図２を参考にバネ１が簡易ストッパーとして効果的に働くメカニズムを説明する。右端のボルトの取り付け位置から間を置いて左側に突起部２を有する構造は、左側から通過してくるアーム部４に押されたバネ全体がしなやかに凹む働きとなる。そして、緩やかな山の頂点から急角度に戻る位置にアーム部が填まり、強い維持力で固定されるのである。【００１６】  また、バネ１の設置位置の違いによる塵取り本体３を側面から見た状態を図３と図４に示す。図３では、通常の連結式塵取りの使用法を行いつつ、ユーザーの意思で柄６を一段後部に倒した時に始めてバネにアーム部が填まり、この角度の状態が維持される。図４では、真上を向く開口部３ｂを床置きした瞬間にバネにアーム部が填まり、柄を持ち上げても図の角度以上は上向かない仕組みである。何れの場合も解除には柄を一段前方に倒す操作にて行う。
【実施例２】
【００１７】  ここでは、アーム部が平棒の場合の説明を行う。実施例１と異なるのは、アーム部４ａにバネ１と合致させるための爪５を設ける点にあり、図５はこの全体構造を示す拡大説明図である。図の通り、爪が丸棒の代用となるだけで実施例１と全く同じである。また、爪の構造によってはバネとの合致位置を変える事が出来、先述した図３と図４への設定の切り替えが可能となる。
【図面の簡単な説明】
【００１８】
【図１】板バネの斜視図である。
【図２】アーム部が丸棒の場合における、簡易ストッパーの説明図である。
【図３】固定状態で手持ちされた塵取りの例１を示す。
【図４】固定状態で手持ちされた塵取りの例２を示す。
【図５】アーム部が平棒の場合における、簡易ストッパーの説明図である。
【符号の説明】  １：バネ
２：バネの突起部
３：連結型の塵取り本体
３ａ：本体の側面
３ｂ：開口部
４：丸棒のアーム部
４ａ：平棒のアーム部
５：爪
６：柄
１０：ボルト用穴
１１：突起部用の穴
１２：ボルト
【図１】
2010253225.tif 000003
【図２】
2010253225.tif 000004
【図３】
2010253225.tif 000005
【図４】
2010253225.tif 000006
【図５】
2010253225.tif 000007